(57)【要約】【課題】プロジェクターの投写面に描画するための電子ペンの電池残量が低下したときに、電池交換忘れを防止できるプロジェクターシステムを提供する。【解決手段】電子ペン４０の制御手段４０Ｄが電池残量の低下を検出すると（ステップＳ２０３：Ｙ）、制御手段４０Ｄは報知手段４０Ｃに第１報知を実行させる（ステップＳ２０４）。【選択図】図５
2014186087.tif 000002
【特許請求の範囲】
【請求項１】
画像を投写するプロジェクターと、前記画像が投写される投写面に描画するための電子ペンと、を有するプロジェクターシステムであって、
前記プロジェクターおよび前記電子ペンの少なくとも一方が、前記電子ペンの電池残量が低下していることを報知する報知部を備えることを特徴とするプロジェクターシステム。
【請求項２】
請求項１に記載のプロジェクターシステムにおいて、
前記電子ペンが前記報知部を備え、
前記電子ペンが備える前記報知部は、前記電子ペンの電池残量が低下しているときに第１の報知を行うことを特徴とするプロジェクターシステム。
【請求項３】
請求項２に記載のプロジェクターシステムにおいて、
前記電子ペンが備える前記報知部は、前記電子ペンの電池残量が低下している場合であって、前記プロジェクターの電源がオフされたとき、前記第１の報知とは異なる第２の報知を行うことを特徴とするプロジェクターシステム。
【請求項４】
請求項１から３のいずれか一項に記載のプロジェクターシステムにおいて、
前記プロジェクターが前記報知部を備えることを特徴とするプロジェクターシステム。
【請求項５】
請求項４に記載のプロジェクターシステムにおいて、
前記プロジェクターが備える前記報知部は、
前記電子ペンの電池残量が低下している場合に、前記プロジェクターの電源をオフする時、前記電子ペンの電池残量低下メッセージを投写することを特徴とするプロジェクターシステム。
【請求項６】
請求項４または５に記載のプロジェクターシステムにおいて、
前記プロジェクターが備える前記報知部は、
前記プロジェクターが電源オンするとき、前回の電源オフ時に前記電子ペンの電池残量が低下していた場合、前記電子ペンの電池交換確認メッセージを投写することを特徴とするプロジェクターシステム。
【請求項７】
画像が投写される投写面に描画するための電子ペンの操作を受け付け、前記画像を投写するプロジェクターであって、
前記電子ペンの電池残量が低下していることを報知する報知部を備えることを特徴とするプロジェクター。
【請求項８】
画像を投写するプロジェクターと、前記画像が投写される投写面に描画するための電子ペンと、を有するプロジェクターシステムの制御方法であって、
前記電子ペンの電池残量を取得する残量取得ステップと、
前記残量取得ステップにより取得した前記電池残量が所定値以下の場合に、前記プロジェクターまたは前記電子ペンの少なくとも一方に報知させる報知ステップと、
を有することを特徴とするプロジェクターシステムの制御方法。
【発明の詳細な説明】
【技術分野】
【０００１】
本発明は、プロジェクターシステム、プロジェクター、およびプロジェクターシステムの制御方法に関する。
【背景技術】
【０００２】
従来、コンピューター等から出力される画像信号に基づく画像をプロジェクター等の表示装置によってスクリーン等に表示するとともに、電子ペンを用いて投写画像に対して行ったユーザーの操作を表示装置が検出し、ユーザー（使用者）の操作に関する情報に基づく画像を生成して表示させる電子黒板システム（インタラクティブシステム）が提案されている（例えば、特許文献１）。
【先行技術文献】
【特許文献】
【０００３】
【特許文献１】特開２０１１−１４０１５４号公報
【発明の概要】
【発明が解決しようとする課題】
【０００４】
特許文献１のような装置では電子ペンは電池によって動作するため、電池残量が低下すると操作入力ができなくなる。電子ペンに電池残量の低下を報知する報知装置などを備える方法があるが、投写された画像を注視しているために残量低下報知に気が付かないことがあった。また、残量低下報知に気が付いたとしても、使用終了後に電池を交換しようとして使い続け、電源オフ時に忘れてしまうことがあった。このため、電子ペンの電池残量が低下した場合、電池交換のし忘れを防止できるプロジェクターシステムが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターシステムは、画像を投写するプロジェクターと、前記画像が投写される投写面に描画するための電子ペンと、を有するプロジェクターシステムであって、前記プロジェクターおよび前記電子ペンの少なくとも一方が、前記電子ペンの電池残量が低下していることを報知する報知部を備えることを特徴とする。
【０００７】
本適用例によれば、投写面に描画するための電子ペンの電池残量が低下したとき、プロジェクターまたは電子ペンの少なくとも一方が報知部により報知するので、電子ペンの電池残量低下報知を使用者が見落とすのを防止することが可能となる。
【０００８】
［適用例２］上記適用例に記載のプロジェクターシステムにおいて、前記電子ペンが前記報知部を備え、前記電子ペンが備える前記報知部は、前記電子ペンの電池残量が低下しているときに第１の報知を行うことが好ましい。
【０００９】
本適用例によれば、電子ペンの電池残量が低下したときに電子ペンが備える報知部が第１の報知を行うので投写画面の妨げにならずに使用者に電池交換の必要があることを報知することが可能となる。
【００１０】
［適用例３］上記適用例に記載のプロジェクターシステムにおいて、前記電子ペンが備える前記報知部は、前記電子ペンの電池残量が低下している場合であって、前記プロジェクターの電源がオフされたとき、前記第１の報知とは異なる第２の報知を行うことが好ましい。
【００１１】
本適用例によれば、電子ペンの電池残量が低下している状態でプロジェクターの電源がオフされたとき、第１の報知とは異なる第２の報知を行う。例えば第１の報知ではペン操作の妨げにならないようにＬＥＤ（Light emitting diode）表示で報知し、プロジェクターの電源をオフし、使用を終了した状態での第２の報知では、ブザー音でより強く報知し、電池交換を促すことが可能となる。
【００１２】
［適用例４］上記適用例に記載のプロジェクターシステムにおいて、前記プロジェクターが前記報知部を備えることが好ましい。
【００１３】
本適用例によれば、電子ペンの電池残量が低下したとき、プロジェクターに備える報知部が報知する。これにより、使用者が電子ペンから目を離し、プロジェクターの投写画面を注視しているような場合でも、電子ペンの電池残量低下報知を見落とすのを防止することが可能となる。
【００１４】
［適用例５］上記適用例に記載のプロジェクターシステムにおいて、前記プロジェクターが備える前記報知部は、前記電子ペンの電池残量が低下している場合に、前記プロジェクターの電源をオフする時、前記電子ペンの電池残量低下メッセージを投写することが好ましい。
【００１５】
本適用例によれば、電子ペンの電池残量が低下した状態でプロジェクターが電源オフするとき、プロジェクターが備える報知部が、電子ペンの電池残量低下メッセージを投写するので、より強く電子ペンの電池残量低下を報知し、電池交換を促すことが可能となる。
【００１６】
［適用例６］上記適用例に記載のプロジェクターシステムにおいて、前記プロジェクターが備える前記報知部は、前記プロジェクターが電源オンするとき、前回の電源オフ時に前記電子ペンの電池残量が低下していた場合、前記電子ペンの電池交換確認メッセージを投写することが好ましい。
【００１７】
本適用例によれば、プロジェクターの電源オン時に、前回使用時に電子ペンの電池残量が低下していた場合に、電池交換確認メッセージを投写するので、プロジェクターを使用開始する前に、電子ペンの電池を交換したか使用者に確認を促すことが可能となる。
【００１８】
［適用例７］本適用例に係るプロジェクターは、画像が投写される投写面に描画するための電子ペンの操作を受け付け、前記画像を投写するプロジェクターであって、前記電子ペンの電池残量が低下していることを報知する報知部を備えることを特徴とする。
【００１９】
本適用例によれば、電子ペンの電池残量が低下したとき、プロジェクターに備える報知部が報知する。これにより、使用者が電子ペンから目を離し、プロジェクターの投写画面を注視しているような場合でも、電子ペンの電池残量低下の報知を見落とすのを防止することが可能となる。
【００２０】
［適用例８］本適用例に係るプロジェクターシステムの制御方法は、画像を投写するプロジェクターと、前記画像が投写される投写面に描画するための電子ペンと、を有するプロジェクターシステムの制御方法であって、前記電子ペンの電池残量を取得する残量取得ステップと、前記残量取得ステップにより取得した前記電池残量が所定値以下の場合に、前記プロジェクターまたは前記電子ペンの少なくとも一方に報知させる報知ステップと、を有することを特徴とする。
【００２１】
本適用例によれば、残量取得ステップによって、電子ペンの電池残量を取得し、取得した電池残量が所定値以下の場合に、報知ステップにより、プロジェクターまたは電子ペンの少なくとも一方に報知させるので、電子ペンの電池残量低下を使用者が見落とすのを防止することが可能となる。
【図面の簡単な説明】
【００２２】
【図１】実施形態に係るプロジェクターシステムの使用状態を示す図。
【図２】電子ペンの外観図。
【図３】プロジェクターシステムの回路構成を示すブロック図。
【図４】プロジェクターの動作を示すフローチャート。
【図５】電子ペンの動作を示すフローチャート。
【図６】プロジェクターが報知（投写）する報知画像、電池残量低下メッセージ、電池交換確認メッセージを示す図。
【発明を実施するための形態】
【００２３】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２４】
（実施形態）
本実施形態のプロジェクターシステムは、光源から射出された光を画像情報に応じて変調し、投写レンズを介してスクリーン等の投写面に画像を投写するプロジェクターと、投写面に文字または図形を描画するための電子ペンとを有して構成される。
【００２５】
図１は、本実施形態のプロジェクターシステム１００を示す模式図である。
図１に示すように、プロジェクターシステム１００は、プロジェクター１がユーザーＨの頭上に天吊り設置され、ユーザーＨはプロジェクター１が画像を投写するスクリーンＳＣ上で電子ペン４０を使って描画操作を行う。プロジェクター１は、後で説明するペン操作検出手段２５（図３参照）が電子ペン４０の位置情報などの操作情報を検出する。そして、プロジェクター１は、電子ペン４０の描画操作に基づく描画データを画像情報に合成し、投写面としてのスクリーンＳＣに投写する。
【００２６】
図２は電子ペン４０の外観図である。
図２に示すように、電子ペン４０は先端が尖ったペン型の筐体４０Ａに収納されており、筐体４０Ａの先端にペン先スイッチ４０Ｂ、筐体４０Ａの胴体部分に報知手段４０Ｃを備える。
筐体４０Ａの内部には、電子ペン４０の動作を制御するための制御手段４０Ｄ、プロジェクター１との間で通信を行う通信手段４０Ｅ、電子ペン４０に電源を供給する電源部４０Ｆを備える。
【００２７】
図３は、本実施形態のプロジェクターシステム１００の回路構成を示すブロック図である。
図３に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、ペン操作検出手段２５、通信手段２６、電源端子３０、電源部３１等で構成されており、これらは図示しないプロジェクター１の筐体の内部、または外面に収容されている。
【００２８】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって投写面としてのスクリーンＳＣ等に画像を表示する。
【００２９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３１】
本実施形態では、光源１１として光源ランプ１１ａを用いて投写するプロジェクター１を例示したが、本発明は光源としてＬＥＤ光源やレーザー光源などを用いて投写するプロジェクターにも適用することができる。
【００３２】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３３】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００３４】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３５】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３６】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３７】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３８】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００３９】
記憶手段２１は、フラッシュメモリーやＦｅＲＡＭ等の書き換え可能な不揮発性のメモリーにより構成されており、プロジェクター１の動作を制御するための制御プログラムや、プロジェクター１の動作条件等を規定する各種設定データ等が記憶されている。本実施形態では、記憶手段２１は、電子ペン４０より電池    残量低下通知を受信したときにセットされる電池残量低下フラグ２１１が記憶される。
【００４０】
光源制御手段２２は、制御手段２０の指示に基づいて、光源１１に対する電力の供給と停止とを制御し、光源１１の点灯及び消灯を切り替える。
【００４１】
入力操作手段２３は、ユーザーがプロジェクター１に対して各種指示を行うための複数の操作キーを備えている。入力操作手段２３は、図示は省略するが、ユーザーがプロジェクター１に対して各種指示を行うための複数の操作キーを備え、プロジェクター１の筐体の外面に備えられる本体キーで構成される。
【００４２】
入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００４３】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００４４】
ペン操作検出手段２５は、図示しない撮像素子などで構成され、制御手段２０の指示に基づいて、電子ペン４０の操作位置（座標）、およびペン先スイッチ４０Ｂ（図２参照）の押下状態などのペン操作状態を検出し、検出したペン操作情報を制御手段２０に通知する。
【００４５】
通信手段２６は、赤外線などによる無線通信部（図示せず）を備え、電子ペン４０の通信手段４０Ｅとの間で通信を行う。プロジェクター１からは電子ペン４０に電源オフ通知などが送信される。
【００４６】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４７】
電子ペン４０は、図３に示すように、ペン先スイッチ４０Ｂ、報知手段４０Ｃ、制御手段４０Ｄ、通信手段４０Ｅ、電源部４０Ｆなどから構成されており、これらは電子ペン４０の筐体４０Ａ（図２参照）の内部または外面に収容されている。
【００４８】
ペン先スイッチ４０Ｂは電子ペン４０の筐体４０Ａの先端に配置され（図２参照）、プロジェクター１のペン操作検出手段２５が押下状態を検出する。
【００４９】
報知手段４０Ｃは、報知部に相当するものであり、ＬＥＤやブザーなどで構成され、電子ペン４０の筐体４０Ａの胴体部分に配置される（図２参照）。報知手段４０Ｃは、制御手段４０Ｄの指示に基づき、電子ペン４０の電池残量が低下したときに、ＬＥＤの点灯色、点滅パターン、またはブザー音などにより使用者に報知する。
【００５０】
制御手段４０Ｄは電子ペン４０の動作を制御するものであり、通信手段４０Ｅを介してのプロジェクター１との通信、電源部４０Ｆの電池残量の監視、報知手段４０Ｃの制御などを行う。
【００５１】
通信手段４０Ｅは、赤外線などによる無線通信部（図示せず）を備え、プロジェクター１の通信手段２６との間で通信を行う。電子ペン４０からはプロジェクター１に対し、電池残量低下通知などが送信される。
【００５２】
電源部４０Ｆは、図示しない電池などで構成され、電子ペン４０の各部に動作電力を供給する。電源部４０Ｆは図示しない電池残量取得部を備え、制御手段４０Ｄは、電源部４０Ｆの電池の残量を監視することができるようになっている。
【００５３】
次に、本実施形態のプロジェクターシステム１００の動作を図４、図５のフローチャート、および図６の報知画像Ｇ１、電池残量低下メッセージＭ１、電池交換確認メッセージＭ２を用いて説明する。
【００５４】
図４は、プロジェクター１の動作を示すフローチャートであり、（ａ）は電子ペン４０の通信手段４０Ｅから電池残量低下通知を受信したときの動作、（ｂ）はプロジェクター１が電源オフ操作を受け付けたときの動作、（ｃ）はプロジェクター１が電源オン操作を受け付けたときの動作を示す。
【００５５】
図６は、プロジェクター１が報知（投写）する報知画像Ｇ１、電池残量低下メッセージＭ１、電池交換確認メッセージＭ２を示す図であり、（ａ）はプロジェクター１が電子ペン４０の通信手段４０Ｅから電池残量低下通知を受信した場合に対応した報知画像Ｇ１、（ｂ）はプロジェクター１が電源オフ操作を受け付けた場合に対応した電池残量低下メッセージＭ１、（ｃ）はプロジェクター１が電源オン操作を受け付けた場合に対応した電池交換確認メッセージＭ２を示す。
【００５６】
［電子ペンから電池残量低下通知を受信したときの動作］
図４（ａ）に示すように、プロジェクター１が動作中に、通信手段２６が電子ペン４０の通信手段４０Ｅから電池残量低下通知を受信すると、（ステップＳ１０１）、制御手段２０は、電池残量低下フラグ２１１をセットし（ステップＳ１０２）、ステップＳ１０３に遷移する。
【００５７】
ステップＳ１０３において制御手段２０は、電子ペン４０の電池残量が低下したことを示す報知画像Ｇ１（図６（ａ）参照）を画像投写手段１０により投写させ、本動作フローを終了する（ステップＳ１０４）。ここで、ステップＳ１０３が報知ステップに相当する。また、画像投写手段１０は報知部にも相当する。
【００５８】
［プロジェクターが電源オフするときの動作］
図４（ｂ）に示すように、プロジェクター１が入力操作手段２３の電源キーなどによる電源オフ操作を受け付けると（ステップＳ１１１）、ステップＳ１１２に遷移する。
【００５９】
ステップＳ１１２において制御手段２０は、電池残量低下フラグ２１１がセットされているか否かを調べる。電池残量低下フラグ２１１がセットされている場合（ステップＳ１１２：Ｙ）には、ステップＳ１１３に遷移する。電池残量低下フラグ２１１がクリアされている場合（ステップＳ１１２：Ｎ）にはステップＳ１１４に遷移する。
【００６０】
ステップＳ１１３において制御手段２０は、電子ペン４０の電池残量が低下したことを示す電池残量低下メッセージＭ１（図６（ｂ）参照）を、画像投写手段１０により所定の時間投写させ、ステップＳ１１４に遷移する。
【００６１】
ステップＳ１１４において制御手段２０は、光源制御手段２２により光源１１を消灯させ、ステップＳ１１５に遷移する。
【００６２】
ステップＳ１１５において制御手段２０は、プロジェクター１の電源をオフしてスタンバイ状態に移行させ、本動作フローを終了する。
【００６３】
［プロジェクターが電源オンするときの動作］
図４（ｃ）に示すように、プロジェクター１がスタンバイ中に、入力操作手段２３の電源キーなどにより電源オン操作を受け付けると（ステップＳ１２１）、ステップＳ１２２に遷移する。
【００６４】
ステップＳ１２２において制御手段２０は、光源制御手段２２により光源１１を点灯させ、ステップＳ１２３に遷移する。
【００６５】
ステップＳ１２３において制御手段２０は、電池残量低下フラグ２１１がセットされているか否かを調べる。電池残量低下フラグ２１１がセットされている場合（ステップＳ１２３：Ｙ）には、ステップＳ１２４に遷移する。電池残量低下フラグ２１１がクリアされている場合（ステップＳ１２３：Ｎ）にはステップＳ１２６に遷移する。
【００６６】
ステップＳ１２４において制御手段２０は、前回プロジェクターシステム１００を使用時に電子ペン４０の電池残量が低下していたため、電池を交換したかの確認を促す電池交換確認メッセージＭ２（図６（ｃ）参照）を、画像投写手段１０により所定の時間投写させ、ステップＳ１２５に遷移する。
【００６７】
ステップＳ１２５において制御手段２０は、電池残量低下フラグ２１１をクリアし、ステップＳ１２６に遷移する。
【００６８】
ステップＳ１２６において制御手段２０は、画像信号入力手段１８より入力される画像信号に基づく画像を投写させ、本動作フローを終了する。
【００６９】
図５は電子ペン４０の動作を示すフローチャートであり、（ａ）は定期的に電源部４０Ｆの電池残量を監視する電池残量監視動作、（ｂ）はプロジェクター１の電源オフを検出したときの動作を示す。
【００７０】
［電池残量監視動作］
図５（ａ）に示すように、定期的に電子ペン４０の電池残量を監視する電池残量監視動作を開始すると（ステップＳ２０１）、制御手段４０Ｄは、電源部４０Ｆより電池残量値を取得し（ステップＳ２０２）、ステップＳ２０３に遷移する。ここで、ステップＳ２０２が残量取得ステップに相当する。
【００７１】
ステップＳ２０３において制御手段４０Ｄは、ステップＳ２０２において取得した電池残量値に基づき、電池残量が低下しているか否かを調べる。電池残量が低下している場合（ステップＳ２０３：Ｙ）には、ステップＳ２０４に遷移する。電池残量が低下していない場合（ステップＳ２０３：Ｎ）には、ステップＳ２０６に遷移する。なお、ここで電池残量低下とは電池残量値が所定値以下であるかどうかにより判断する。
【００７２】
ステップＳ２０４において制御手段４０Ｄは、報知手段４０Ｃにより、電池残量が低下したことを示す第１報知を実行させ、ステップＳ２０５に遷移する。第１報知は例えば報知手段４０ＣのＬＥＤを点灯させる。
【００７３】
ステップＳ２０５において制御手段４０Ｄは、通信手段４０Ｅにより、プロジェクター１に、電池残量低下通知を送信し、ステップＳ２０６に遷移する。ここで、ステップＳ２０４、およびステップＳ２０５が報知ステップに相当する。
【００７４】
ステップＳ２０６において本動作フローを終了する。
【００７５】
［プロジェクターの電源オフを検出したときの動作］
図５（ｂ）に示すように、通信手段４０Ｅが、プロジェクター１の通信手段２６から電源オフ通知を受信することにより、プロジェクター１の電源オフを検出すると（ステップＳ２１１）、ステップＳ２１２に遷移する。
【００７６】
ステップＳ２１２において制御手段４０Ｄは、報知手段４０Ｃが第１報知を実行しているか（電池残量の低下を検出したか）否かを調べる。第１報知を実行している場合（ステップＳ２１２：Ｙ）には、ステップＳ２１３に遷移する。第１報知を実行していない場合（ステップＳ２１２：Ｎ）には、ステップＳ２１４に遷移する。
【００７７】
ステップＳ２１３において制御手段４０Ｄは、報知手段４０Ｃに第２報知を実行させ、ステップＳ２１４に遷移する。ここで第２報知は第１報知と異なる報知の仕方であり、例えばブザーを鳴動させる。
【００７８】
ステップＳ２１４において本動作フローを終了する。
【００７９】
上述した実施形態によれば、以下の効果を得られる。
本実施形態のプロジェクターシステム１００によれば、投写面に描画をするための電子ペン４０の電池残量が低下したとき、プロジェクター１または電子ペン４０の少なくとも一方が報知するので、電子ペン４０の電池残量低下報知を使用者が見落とすのを防止することが可能となる。
【００８０】
また、電子ペン４０の電池残量が低下したときに電子ペン４０が報知するので、投写画面の妨げにならずに、使用者に電池交換の必要があることを報知することが可能となる。
【００８１】
また、電子ペン４０の電池残量が低下し、第１の報知をした状態でプロジェクター１の電源オフを検出したとき、電子ペン４０は第１の報知とは異なる第２の報知を行う。例えば第１の報知では電子ペン４０のペン操作の妨げにならないようにＬＥＤ表示で報知し、プロジェクター１の電源をオフし、使用を終了した状態での第２の報知では、ブザー音でより強く報知し、電池交換を促すことが可能となる。
【００８２】
また、電子ペン４０の電池残量が低下したとき、プロジェクター１が報知画像Ｇ１（図６（ａ）参照）を投写する。これにより、使用者が電子ペン４０から目を離し、プロジェクター１の投写画面を注視しているような場合でも、電子ペン４０の電池残量低下報知を見落とすのを防止することが可能となる。
【００８３】
また、電子ペン４０の電池残量が低下した状態でプロジェクター１が電源オフするとき、プロジェクター１は電子ペン４０の電池残量低下メッセージＭ１（図６（ｂ）参照）を投写するので、より強く電子ペン４０の電池残量低下を報知し、電池交換を促すことが可能となる。
【００８４】
また、プロジェクター１の電源オン時に、前回使用時に電子ペン４０の電池残量低下を検出していた場合にプロジェクター１が電池交換確認メッセージＭ２（図６（ｃ）参照）を投写するので、プロジェクター１を使用開始する前に、電子ペン４０の電池を交換したか使用者に確認を促すことが可能となる。
【００８５】
また、本実施形態は、以下のように変更してもよい。
（変形例１）
上記実施形態において、電子ペン４０の電池残量レベルをプロジェクター１および電子ペン４０が数段階で表示するようにしてもよい。これにより、電池交換が必要な容量まで低下する前に交換用電池を準備するよう促すことができる。
（変形例２）
上記実施形態において、プロジェクターシステム１００は複数の電子ペン４０を備え、プロジェクター１は電池残量が低下した電子ペン４０を報知するようにしてもよい。
【符号の説明】
【００８６】
１００…プロジェクターシステム、１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２１１…電池残量低下フラグ、２２…光源制御手段、２３…入力操作手段、２５…ペン操作検出手段、２６…通信手段、３０…電源端子、３１…電源部、４０…電子ペン、４０Ａ…筐体、４０Ｂ…ペン先スイッチ、４０Ｃ…報知手段、４０Ｄ…制御手段、４０Ｅ…通信手段、４０Ｆ…電源部。
【図１】
2014186087.tif 000003
【図２】
2014186087.tif 000004
【図３】
2014186087.tif 000005
【図４】
2014186087.tif 000006
【図５】
2014186087.tif 000007
【図６】
2014186087.tif 000008